(57)【要約】【課題】印刷時のイメージを、正確に、かつ、簡便に表示する。【解決手段】ＲＩＰ処理による印刷用の画像データへの変換処理が行われる前の段階にある画像データと付属データとからなる、いずれかのジョブを指定するジョブ指定部と、ジョブを構成するＲＩＰ処理前の画像データに基づくサムネイル画像が付属データに基づいて印刷のレイアウトに編集された画像を生成する画像生成部と、画像生成部で生成された画像を表示する画像表示部とを備えた。【選択図】図４
2018028741.tif 000002
【特許請求の範囲】
【請求項１】
ひと組の画像を表わす第１の画像データと該第１の画像データに基づく画像の印刷に必要な付属データとの組からなるジョブを生成するクライアント機器と、印刷に使用される用紙を収容しておく用紙収容部を備え前記クライアント機器から前記ジョブを受け取り該ジョブを構成する前記第１の画像データをＲＩＰ処理により印刷用の第２の画像データに変換して該第２の画像データに基づく画像を用紙上に印刷する印刷機とを備えた印刷システムであって、
ＲＩＰ処理による前記第２の画像データへの変換処理が行われる前の段階にあるいずれかのジョブを指定するジョブ指定部と、
前記ジョブ指定部で指定されたジョブを構成する前記付属データに基づいて、該ジョブを構成する前記第１の画像データに基づくサムネイル画像が印刷のレイアウトに編集された画像を生成する画像生成部と、
前記画像生成部で生成された画像を表示する画像表示部とを備えたことを特徴とする印刷システム。
【請求項２】
前記画像生成部が、印刷時の面付けに合わせて面付けされたサムネイル画像からなる画像を生成することを特徴とする請求項１に記載の印刷システム。
【請求項３】
前記画像生成部が、印刷時の用紙の搬送の向きに合わせて回転したサムネイル画像からなる画像を生成することを特徴とする請求項１または２に記載の印刷システム。
【請求項４】
前記画像生成部が、印刷時の用紙のサイズに合わせて、サムネイル画像とともに用紙の空白を表わした画像あるいは一部が切り取られたサムネイル画像からなる画像を生成することを特徴とする請求項１から３のうちのいずれか１項に記載の印刷システム。
【請求項５】
前記画像生成部が、印刷の部数に合わせて複製されるとともにソート指定の有無に合わせて並べ替えられたサムネイル画像からなる画像を生成することを特徴とする請求項１から４のうちのいずれか１項に記載の印刷システム。
【請求項６】
前記画像生成部が、逆順指定の有無に合わせて並べ替えられたサムネイル画像からなる画像を生成することを特徴とする請求項１から５のうちのいずれか１項に記載の印刷システム。
【請求項７】
ひと組の画像を表わす第１の画像データと該第１の画像データに基づく画像の印刷に必要な付属データとの組からなるジョブを生成するクライアント機器と、印刷に使用される用紙を収容しておく用紙収容部を備え前記クライアント機器から前記ジョブを受け取り該ジョブを構成する前記第１の画像データをＲＩＰ処理により印刷用の第２の画像データに変換して該第２の画像データに基づく画像を用紙上に印刷する印刷機とを備えた印刷システムを構成する画像表示装置であって、
ＲＩＰ処理による前記第２の画像データへの変換処理が行われる前の段階にあるいずれかのジョブを指定するジョブ指定部と、
前記ジョブ指定部で指定されたジョブを構成する前記付属データに基づいて、該ジョブを構成する前記第１の画像データに基づくサムネイル画像が印刷のレイアウトに編集された画像を生成する画像生成部と、
前記画像生成部で生成された画像を表示する画像表示部とを備えたことを特徴とする画像表示装置。
【請求項８】
ひと組の画像を表わす第１の画像データと該第１の画像データに基づく画像の印刷に必要な付属データとの組からなるジョブを生成するクライアント機器と、印刷に使用される用紙を収容しておく用紙収容部を備え前記クライアント機器から前記ジョブを受け取り該ジョブを構成する前記第１の画像データをＲＩＰ処理により印刷用の第２の画像データに変換して該第２の画像データに基づく画像を用紙上に印刷する印刷機とを備えた印刷システムを構成する情報処理装置内で実行され、該情報処理装置を、
ＲＩＰ処理による前記第２の画像データへの変換処理が行われる前の段階にあるいずれかのジョブを指定するジョブ指定部と、
前記ジョブ指定部で指定されたジョブを構成する前記付属データに基づいて、該ジョブを構成する前記第１の画像データに基づくサムネイル画像が印刷のレイアウトに編集された画像を生成する画像生成部と、
前記画像生成部で生成された画像を表示する画像表示部とを備えた画像表示装置として動作させることを特徴とする画像表示プログラム。
【発明の詳細な説明】
【技術分野】
【０００１】
本発明は、印刷システム、画像表示装置、および画像表示プログラムに関する。
【背景技術】
【０００２】
プロダクションプリンタ等の大型のプリンタを使って印刷を行なうにあたり、どのような印刷結果が得られるかを印刷に先だって確認するために、サムネイル画像を用いたプレビュー表示が行われている。
【０００３】
従来、このプレビュー表示には、
（１）ＲＩＰ処理を行なう前の原稿データに基づいて、原稿の１ページずつのサムネイル画像をそのまま表示するプレビュー表示
（２）ＲＩＰ処理を行なった後の印刷データに基づいて、例えば面付け等についても印刷のイメージそのもののサムネイル画像を表示するプレビュー表示
の２種類が存在する。
【０００４】
上記の（１）のプレビュー表示は、時間がかかるＲＩＰ処理を行なう前の原稿データの基づくプレビュー表示のため、簡便な確認が可能であるが、例えば面付け等が行われる場合においては、実際の印刷のイメージとは異なってしまうことになる。
【０００５】
一方、上記の（２）のプレビュー表示はＲＩＰ処理後の印刷データに基づくプレビュー表示であるため、面付け等についても実際の印刷のイメージに適合したプレビュー表示が行われる。しかしながら、この（２）のプレビュー表示は、そのプレビュー表示に先だってＲＩＰ処理が行われている必要があるため、プレビュー表示が行なわれるまでに時間がかかる。また、例えば面付けの変更など、ＲＩＰ処理の結果が変わるような設定変更が行われた場合には、再度のＲＩＰ処理が必要となる。
【０００６】
ここで、特許文献１には、原稿の一部のページ範囲に対してステープルの設定が行われた場合に、プレビュー表示に際し、ステープルの状態に応じた表示形態でステープルを表現することが提案されている。
【０００７】
また、特許文献２には、画像のシフト、画像の回転、拡大縮小などの設定が行われた場合に、それらの設定を反映させたイメージを表示することが提案されている。
【先行技術文献】
【特許文献】
【０００８】
【特許文献１】特開２０１２−１１８６７６号公報
【特許文献２】特開２００２−０１００００号公報
【発明の概要】
【発明が解決しようとする課題】
【０００９】
本発明は、上記事情に鑑み、印刷時のイメージを、上記（１）のプレビュー表示よりも正確に、かつ、上記（２）のプレビュー表示よりも簡便に表示することができる印刷システム、画像表示装置、および画像表示プログラムを提供することを目的とする。
【課題を解決するための手段】
【００１０】
請求項１は、
ひと組の画像を表わす第１の画像データと該第１の画像データに基づく画像の印刷に必要な付属データとの組からなるジョブを生成するクライアント機器と、印刷に使用される用紙を収容しておく用紙収容部を備え前記クライアント機器から前記ジョブを受け取り該ジョブを構成する前記第１の画像データをＲＩＰ処理により印刷用の第２の画像データに変換して該第２の画像データに基づく画像を用紙上に印刷する印刷機とを備えた印刷システムであって、
ＲＩＰ処理による前記第２の画像データへの変換処理が行われる前の段階にあるいずれかのジョブを指定するジョブ指定部と、
前記ジョブ指定部で指定されたジョブを構成する前記付属データに基づいて、該ジョブを構成する前記第１の画像データに基づくサムネイル画像が印刷のレイアウトに編集された画像を生成する画像生成部と、
前記画像生成部で生成された画像を表示する画像表示部とを備えたことを特徴とする印刷システムである。
【００１１】
請求項２は、
前記画像生成部が、印刷時の面付けに合わせて面付けされたサムネイル画像からなる画像を生成することを特徴とする請求項１に記載の印刷システムである。
【００１２】
請求項３は、
前記画像生成部が、印刷時の用紙の搬送の向きに合わせて回転したサムネイル画像からなる画像を生成することを特徴とする請求項１または２に記載の印刷システムである。
【００１３】
請求項４は、
前記画像生成部が、印刷時の用紙のサイズに合わせて、サムネイル画像とともに用紙の空白を表わした画像あるいは一部が切り取られたサムネイル画像からなる画像を生成することを特徴とする請求項１から３のうちのいずれか１項に記載の印刷システムである。
【００１４】
請求項５は、
前記画像生成部が、印刷の部数に合わせて複製されるとともにソート指定の有無に合わせて並べ替えられたサムネイル画像からなる画像を生成することを特徴とする請求項１から４のうちのいずれか１項に記載の印刷システムである。
【００１５】
請求項６は、
前記画像生成部が、逆順指定の有無に合わせて並べ替えられたサムネイル画像からなる画像を生成することを特徴とする請求項１から５のうちのいずれか１項に記載の印刷システムである。
【００１６】
請求項７は、
ひと組の画像を表わす第１の画像データと該第１の画像データに基づく画像の印刷に必要な付属データとの組からなるジョブを生成するクライアント機器と、印刷に使用される用紙を収容しておく用紙収容部を備え前記クライアント機器から前記ジョブを受け取り該ジョブを構成する前記第１の画像データをＲＩＰ処理により印刷用の第２の画像データに変換して該第２の画像データに基づく画像を用紙上に印刷する印刷機とを備えた印刷システムを構成する画像表示装置であって、
ＲＩＰ処理による前記第２の画像データへの変換処理が行われる前の段階にあるいずれかのジョブを指定するジョブ指定部と、
前記ジョブ指定部で指定されたジョブを構成する前記付属データに基づいて、該ジョブを構成する前記第１の画像データに基づくサムネイル画像が印刷のレイアウトに編集された画像を生成する画像生成部と、
前記画像生成部で生成された画像を表示する画像表示部とを備えたことを特徴とする画像表示装置である。
【００１７】
請求項８は、
ひと組の画像を表わす第１の画像データと該第１の画像データに基づく画像の印刷に必要な付属データとの組からなるジョブを生成するクライアント機器と、印刷に使用される用紙を収容しておく用紙収容部を備え前記クライアント機器から前記ジョブを受け取り該ジョブを構成する前記第１の画像データをＲＩＰ処理により印刷用の第２の画像データに変換して該第２の画像データに基づく画像を用紙上に印刷する印刷機とを備えた印刷システムを構成する情報処理装置内で実行され、該情報処理装置を、
ＲＩＰ処理による前記第２の画像データへの変換処理が行われる前の段階にあるいずれかのジョブを指定するジョブ指定部と、
前記ジョブ指定部で指定されたジョブを構成する前記付属データに基づいて、該ジョブを構成する前記第１の画像データに基づくサムネイル画像が印刷のレイアウトに編集された画像を生成する画像生成部と、
前記画像生成部で生成された画像を表示する画像表示部とを備えた画像表示装置として動作させることを特徴とする画像表示プログラムである。
【発明の効果】
【００１８】
請求項１の印刷システム、請求項７の画像表示装置、および請求項８の画像表示プログラムによれば、印刷時のイメージが、上記（１）のプレビュー表示よりも正確に、かつ、上記（２）のプレビュー表示よりも簡便に表示される。
【００１９】
請求項２の印刷システムによれば、面付けに関し、上記（１）のプレビュー表示よりも正確に、かつ、上記（２）のプレビュー表示よりも簡便に表示される。
【００２０】
請求項３の印刷システムによれば、印刷時の用紙の向きと画像の向きに関し、上記（１）のプレビュー表示よりも正確に、かつ、上記（２）のプレビュー表示よりも簡便に表示される。
【００２１】
請求項４の印刷システムによれば、印刷時の用紙のサイズとその用紙に印刷される画像との関係に関し、上記（１）のプレビュー表示よりも正確に、かつ、上記（２）のプレビュー表示よりも簡便に表示される。
【００２２】
請求項５の印刷システムによれば、印刷の部数やソートに関し、上記（１）のプレビュー表示よりも正確に、かつ、上記（２）のプレビュー表示よりも簡便に表示される。
【００２３】
請求項６の印刷システムによれば、印刷の昇順逆順に関し、上記（１）のプレビュー表示よりも正確に、かつ、上記（２）のプレビュー表示よりも簡便に表示される。
【図面の簡単な説明】
【００２４】
【図１】印刷システムの全体構成を示した概念図である。
【図２】ジョブ一覧画面の画面例を示した図である。
【図３】ジョブメニュー画面を示した図である。
【図４】「簡易」のプレビュー画像生成処理の一例を示した模式図である。
【図５】給紙方法の指定とサムネイル画像との関係を示した図である。
【図６】後処理指定による用紙の向きを考慮したプレビュー画像を示した図である。
【図７】プレビュー画像の表示の際に実行されるプレビュー表示ルーチンのフローチャートを示した図である。
【図８】「簡易」のプレビューの画像配置計算ルーチンのフローチャートの前半部分を示した図である。
【図９】「簡易」のプレビューの画像配置計算ルーチンのフローチャートの後半部分を示した図である。
【発明を実施するための形態】
【００２５】
以下、本発明の実施の形態について説明する。
【００２６】
なお、以下において説明する実施形態では、用紙上にプリントされた画像以外は全てデータ上の画像を取り扱っている。そこで、以下では、データ上の画像であっても、例えば「画像データ」のようにデータ上の画像であることを明示することなく、単に「画像」と表現することがある。原稿など、画像の範疇に入る他の用語についても同様である。
【００２７】
図１は、印刷システムの全体構成を示した概念図である。この図１に示す印刷システムは、本発明の印刷システムの一実施形態に相当する。
【００２８】
この図１に示す印刷システム１００は、複数台のクライアントＰＣ（パーソナルコンピュータ）１０と、プリンタ２０とを備えていて、それらが、ＬＡＮ（Ｌｏｃａｌ  Ａｒｅａ  Ｎｅｔｗｏｒｋ）３０で互いに接続されている。
【００２９】
各クライアントＰＣ１０では、ユーザ操作により、画像編集処理が行われる。ここで、各クライアントＰＣ１０は、本発明にいうクライアント機器の一例に相当する。
【００３０】
ここでは、各クライアントＰＣ１０における画像編集処理により生成された画像を「原稿」と称する。この「原稿」は本発明にいう第１の画像データの一例に相当する。また、各クライアントＰＣ１０では、画像編集処理により生成された「原稿」と、その「原稿」の印刷に必要な「付属情報」とが対応づけられる。ここでは、これら「原稿」と「付属情報」との組を「ジョブ」と称する。この「付属情報」は、本発明にいう付属データの一例に相当する。「付属情報」の詳細については後述する。
【００３１】
各クライアントＰＣ１０で生成されたジョブはプリンタ２０に送信される。このプリンタ２０は、各クライアントＰＣ１０から送信されてきたジョブを一旦格納した後、用紙上に順次にプリント出力する役割を担っている。このプリンタ２０には、このプリンタ２０のＵＩ（ユーザインタフェース）の役割を担うＰＣ２１が接続されている。
【００３２】
このプリンタ２０は、印刷に先だって、「原稿」にＲＩＰ処理を施し、印刷用の出力データを生成する。そして、このプリンタ２０は、その生成した出力データに基づく画像を用紙上に印刷する。この出力データは、本発明にいう第２の画像データの一例に相当する。
【００３３】
このプリンタ２０は、複数段（ここに示す例では５段）の給紙トレイ２２が備えられている。これらの給紙トレイ２２には、各給紙トレイ２２ごとに設定されたサイズの用紙が、積み重ねられた状態で、各給紙トレイ２２ごとに設定された向きに収容されている。各給紙トレイ２２に収容された用紙は、１枚ずつ取り出されて、プリント出力に使用される。ここで、各用紙トレイ２２に収容される用紙の向きとしては、ＬＥＦとＳＥＦとの２種類の向きがある。ＬＥＦは、その給紙トレイ２２から用紙を取り出して搬送するにあたり、その用紙の長辺を用紙搬送方向の前端縁と後端縁とする向きである。また、ＳＥＦは、その給紙トレイ２２から用紙を取り出して搬送するにあたり、その用紙の短辺を用紙搬送方向の前端縁と後端縁とする向きである。各用紙トレイ２２は、そこに収容する用紙のサイズや向きを任意に設定することができる。各用紙トレイ２２の設定情報（その用紙トレイに収容される用紙のサイズや向きの情報）は、各用紙トレイ２２に対応付けられて、「トレイ設定情報」としてプリンタ２０内に予め記憶されている。また、各用紙トレイ２２にはその用紙トレイ２２が空になったか否かを検出するセンサが設けられている。各用紙トレイ２２から取り出された用紙には、ジョブに応じて、その片面あるいは両面に画像がプリントされる。
【００３４】
また、このプリンタ２０には、用紙にパンチ穴開けやホチキス（ステープル）打ちなどを行なう後処理装置（不図示）が内蔵されている。ただし、例えばホチキス打ちを行なうことができるのは、用紙搬送方向の後端縁付近のみであるなど、一定の制限がある。
【００３５】
複数段備えられている給紙トレイのうちのいずれか１段の給紙トレイ２２から取り出された用紙には、ジョブの指示に従って、その片面あるいは両面に画像がプリントされ、さらに、ジョブで後処理が指示されていたときは、その指示に従ってパンチ穴開けやホチキス打ちなどの後処理を行なった後、排紙トレイ２３上に順次積み重ねられる。
【００３６】
なお、クライアントＰＣ１０およびプリンタ２０のハードウェアは広く知られた汎用技術であり、ここでのハードウェア構成の図示や説明は省略する
ここで、クライアントＰＣ１０からジョブを送信するにあたっては、そのジョブに基づくプリント出力を直ちに開始するように設定して送信することもでき、そのジョブをプリンタ２０の内部に一旦保留するように設定することもできる。すなわち、クライアントＰＣ１０からプリント出力について保留を指示してプリンタ２０にジョブを送信すると、直ちにはプリント出力されずに、その送信されてきたジョブがプリンタ内に保留され、改めてプリント出力を指示した後にプリント出力される。
【００３７】
図２は、ジョブ一覧画面の画面例を示した図である。
【００３８】
プリンタ２０に付属しているＰＣ２１を操作してジョブ一覧画面４０を開き、このジョブ一覧画面４０上で「保留中」タブを押下すると、ここに示すような、保留中ジョブ一覧画面４１とプレビュー画面４２が表示される。この図２に示す保留中ジョブ一覧画面４１には、ＩＤ＝１，ジョブ名＝ＡＢＣのジョブと、ＩＤ＝２，ジョブ名＝ＤＥＦのジョブとの２つのジョブが示されている。ＩＤ＝１，ジョブ名＝ＡＢＣのジョブの「ＲＩＰ」の欄は空欄である。これは、このジョブに関しては、まだＲＩＰ処理が行われていないことを意味している。一方、ＩＤ＝２，ジョブ名＝ＤＥＦのジョブの「ＲＩＰ」の欄には「済」と記載されている。これは、このジョブに関しては、ＲＩＰ処理が済んでいることを意味している。ただし、ＲＩＰ処理済のジョブであっても、そのジョブについてＲＩＰ処理結果に影響を及ぼす何らかの設定変更が行われると、そのジョブの「ＲＩＰ」の欄の「済」が消えて空欄となる。
【００３９】
ここで、保留中ジョブ一覧画面４１上に表示されている保留中のジョブに１つを選択して、プレビュー表示用の、「原稿」、「簡易」、「出力」からなる３つのタブのうちのいずれかのタブを押下すると、その選択したジョブについて、その押下したタブに応じたプレビュー画像４２１が表示される。この図２に示すプレビュー画像４２１は、後述する図４のようにして作成された、「簡易」の画像である。このプレビュー画像４２１の横のスクロールバー４２２を操作すると、プレビュー画像４２１を構成している残りの画像が表示される。プレビュー画像の詳細については、後述する。
【００４０】
なお、この図２に示すジョブ一覧は、各クライアントＰＣ１０の表示画面上に表示させることもできる。ただし、一般のユーザは、自分のクライアントＰＣ１０から送信したジョブについてのみ表示させることができる。管理者としてログインした場合は、ユーザ（クライアントＰＣ１０）の別を問わず、保留中の全てのジョブについて表示される。
【００４１】
図３は、ジョブメニュー画面を示した図である。
【００４２】
図２に示す保留中ジョブ一覧画面４１上で保留中のいずれかのジョブを選択して、右クリック等を行うと、そのジョブに関するジョブメニュー画面５０が開かれる。このジョブメニュー画面５０上には、「編集」、「ＲＩＰ」、「印刷」などの項目が並んでいる。ここで、「編集」は、そのジョブの原稿を開いてその原稿の確認や編集を行なうときに押下される項目である。また、「ＲＩＰ」は、そのジョブについてＲＩＰ処理を行なうことを指示する際に押下される項目である。また、「印刷」は、そのジョブに基づく印刷の実行を指示する際に押下される項目である。このジョブメニュー画面５０上には、ここには不図示の、例えばそのジョブの付属情報の確認や修正の際に押下される項目やその他の様々な項目が並んでいるが、それらについては、ここでは省略する。
【００４３】
図４は、「簡易」のプレビュー画像生成処理の一例を示した模式図である。
【００４４】
図２に示したように、プレビュー表示用のタブは、「原稿」と「簡易」と「出力」との３つが存在する。それら３つのうちの「簡易」のタブが押下されると、この図４に例示するような、プレビュー表示のための処理が実行される。ここでは、図４を参照して「簡易」のプレビュー表示を説明していく中で、「原稿」および「出力」のプレビュー表示についても言及する。
【００４５】
ここで、図４（Ａ），（Ｂ）は、プレビュー画像生成に至るまでの過程を図解したものであり、図４（Ｃ）あるいは図４（Ｂ）が生成されたプレビュー画像である。また、ここでは、図示の煩雑さを避けるために、最初の２ページ分のプレビュー画像のみを示している。
【００４６】
この図４に示すように、１つのジョブを規定するジョブ情報は、「原稿」と「面付け設定」と「ジョブ設定」から構成されている。
【００４７】
「原稿」は、前述の通り、クライアントＰＣ１０での画像編集処理により生成された画像データを表わしている。また、この「原稿」は、原稿１ページあたりのサイズ、ページ数、向きなどの情報も合わせ持っている。ここに示す例では、図４（Ａ）に示すように、「Ａ４、たて、８ページ」の原稿が規定されている。
【００４８】
「面付け設定」と「ジョブ設定」は、「原稿」に付属する「付属情報」である。これらのうちの「面付け設定」は、用紙上への原稿の配置方法を規定する情報である。この「面付け設定」には、Ｎｕｐ、中とじなどの配置ルール、リピート数、配置サイズが規定されている。ここで、Ｎｕｐは、Ｎページ分の原稿を並べたものを１枚の原稿として取り扱うことを意味している。また、中とじは、冊子として仕上げるときの原稿の配置順序の規定の一例である。また、リピート数は同一の原稿を何枚並べて配置するかを規定する情報である。ここに示す例では、「面付け設定」として、「ＳＲＡ３、よこ、中とじ」が規定されている。これは、図４（Ｂ）に示すように、Ａ３サイズの用紙よりもやや大きいサイズの用紙であるＳＲＡ３の用紙を横にしたスペース内に、原稿（Ａ４サイズ）を２枚、中とじの配置順に並べることを意味している。ここで、ＳＲＡ３は、面付けの際のスペースを意味しているのであって、プリントの際に使用する用紙を意味している訳ではない。ここでは、図示の煩雑さを避けるために、用紙２ページ分のみ示している。
【００４９】
また、「ジョブ設定」は、プリント出力の際のルールを規定したものである。ここには、「両面指定」、「ページ範囲指定」、「部数指定」、「給紙方法（自動、トレイ指定）」、「合紙指定」、「後処理指定（ホチキス、パンチ）」などが規定されている。
【００５０】
「両面指定」は用紙の両面に画像をプリントすることの指定である。
【００５１】
「ページ範囲指定」は、プリント出力する範囲（何ページから何ページまでをプリント出力するか）の指定である。
【００５２】
「部数指定」は、ひと組のプリントを何部出力するかの指定である。
【００５３】
「給紙方法（自動、トレイ指定）」は、給紙トレイの指定である。給紙トレイを指定しない場合は、プリンタが給紙トレイを選択する。
【００５４】
「合紙指定」は、「部数指定」で指定される部数について、１つの部と次の１つの部との間に部の区切りであることを表わす用紙を挿むことの指定である。
【００５５】
「後処理指定（ホチキス、パンチ）」は、ホチキス打ちやパンチ穴開けなどの後処理方法の指定である。ここに示す例では、図４（Ｃ）の通り、「トレイ１Ａ４ＬＥＦ指定、用紙に合わせて縮小」が指定されている。ここでは、その他の指定は規定されていない。すなわち、ここでは、片面印刷、全ページ印刷、部数は１部、合紙なし、後処理なし、である。
【００５６】
図２に示すプレビュー画像４２１では、用紙は、左側から右側に向かって搬送される向きに表示されている。この図４でも図２のプレビュー画面４２１の表示に合わせている。したがって、ここでは「トレイＡ４ＬＥＦ指定、用紙に合わせて縮小」が指定されているため、用紙は、矢印Ｘの向きに搬送されるように縦長に描かれている。
【００５７】
ここで、「ジョブ指定」が、「トレイ１Ａ４ＬＥＦ指定、用紙に合わせて縮小」ではなく、「トレイ２Ａ４ＳＥＦ指定、用紙に合わせて縮小」であった場合は、図２のプレビュー画像４２１は、図４（Ｄ）に示すように、用紙が横長の向きとなるように表示される。
【００５８】
ここで、図２に示すプレビュー表示用の３つのタブ「原稿」、「簡易」、および「出力」のうちの「原稿」のタブを押下したときは、図４（Ａ）に示すような、原稿の各ページごとのサムネイル画像がそのまま表示される。一方、「出力」のタブを押したときは、ＲＩＰ処理によって生成された出力データに基づく画像が表示される。この図４に示す例では、「出力」の画像は「簡易」の画像を同じである。ただし、例えば、１ページ内の画像を構成する複数のオブジェクトのうちの特定のオブジェクトの色を変えるという特殊な設定があったときは、「簡易」ではその色の変更に対応できず、一方、「出力」の画像では、その変更された通りの色の画像が表示される。このように、「出力」でないと完全には対応できない場面も一部存在するが、ほとんどの場合、印刷のイメージの把握には「簡易」で十分である。
【００５９】
本実施形態では，「簡易」のプレビュー表示のための処理として以下の処理が行われる。
（ジョブ設定）
・部数指定とソート指定
部数指定とソート指定によってページ出力順が変わるため、これらを考慮したプレビュー画像を表示する。
【００６０】
例１：４ページ、部数２部、ソートが指定されている場合は、プレビュー画像を、１，２，３，４，１，２，３，４のページ順に表示する。
【００６１】
例２：４ページ、部数２部、ソートが指定されていない場合は、プレビュー画像を、１，１，２，２，３，３，４，４のページ順に表示する。
・給紙方法（自動、トレイ指定）
給紙方法の指定によって印刷時に使用する用紙のサイズ、向きが変わるため、これらを考慮したプレビュー画像を表示する。
【００６２】
図５は、給紙方法の指定とサムネイル画像との関係を示した図である。
【００６３】
例１：１ページ、Ａ４たて原稿、給紙方法が自動の場合は、印刷速度が速いＬＥＦを優先させるため、画像は、図５（Ａ）に示すように、Ａ４ＬＥＦに合わせて表示する。
【００６４】
例２：１ページ、Ａ４たて原稿、給紙方法がＡ３ＳＥＦトレイ指定の場合は、指定されたトレイの用紙を使用するため、プレビュー画像は、図５（Ｂ）に示すように、Ａ３ＳＥＦに合わせて、用紙の白紙領域込みで表示する。
【００６５】
例３：１ページ、Ａ４たて原稿、給紙方法がＡ５ＳＥＦトレイ指定の場合は、指定されたトレイの用紙を使用するため、プレビュー画像は、図５（Ｃ）に示すように、原稿の画像をＡ５ＳＥＦに合わせてクリップして原稿の画像の半分のみを表示する。
・後処理指定（ホチキス、パンチ）
後処理の指定の仕方によって印刷時に使用する用紙の向きが変わるため、これを考慮したプレビュー画像を表示する。
【００６６】
図６は、後処理指定による用紙の向きを考慮したプレビュー画像を示した図である。図６（Ａ），（Ｂ）それぞれの左端のマークは、ホチキスを打つ位置を表わしている。
【００６７】
本実施形態のプリンタの場合、その機構上、ホチキスは、用紙上の、用紙搬送方向の後端にしか打つことができない。そこで、
例１：Ａ４たて原稿、１ページ、ホチキス上指定の場合、ホチキスをたて画像の上端に打つ必要があるためにＳＥＦの用紙を使用する。このため、画像もそれに合わせて回転させて、図６（Ａ）に示すように表示する。
【００６８】
例２：Ａ４たて原稿、１ページ、ホチキス左指定の場合、ホチキスをたて画像の左端に打つ必要があるためにＬＥＦの用紙を使用する。このため、画像もそれに合わせて回転させて、図６（Ｂ）に示すように表示する。
・印刷順指定（昇順、逆順）
昇順の場合と逆順の場合とでは印刷時のページの出力順が変わるため、これを考慮した画像を表示する。
【００６９】
例１：４ページ、昇順の場合は、１，２，３，４のページ順に表示する。
【００７０】
例２：４ページ、逆順の場合は、４，３，２，１のページ順に表示する。
（トレイ設定情報）
どの向きの用紙がプリンタ２０にセットされているかに応じて、印刷時に使用する用紙の向きが変わるため、これを考慮した画像を表示する。
【００７１】
例１：Ａ４たて原稿、１ページ、給紙方法が自動であって、プリンタ２０に、Ａ４ＳＥＦおよぶＡ４ＬＥＦの両方の用紙がセットされている場合は、印刷速度が速いＬＥＦの用紙を優先する。このため、画像は、Ａ４ＬＥＦの用紙に合わせて表示する。
【００７２】
例２：Ａ４たて原稿、１ページ、給紙方法が自動であって、プリンタ２０にＡ４ＬＥＦの用紙はセットされておらず、Ａ４ＳＥＦＦの用紙がセットされている場合は、Ａ４ＳＥＦの用紙を使用する。このため、画像は、Ａ４ＳＥＦに合わせて表示する。
【００７３】
図７は、プレビュー画像の表示の際に実行されるプレビュー表示ルーチンのフローチャートを示した図である。
【００７４】
この図７に示すプレビュー表示ルーチンは、図２に示す保留中ジョブ一覧画面４１上でいずれかのジョブが選択されたことを受けて実行されるルーチンである。
【００７５】
ジョブが選択されると（ステップＳ１０１）、そのジョブに対応するＲＩＰ済の出力データが存在するか否かが判定される（ステップＳ１０２）。そして、ＲＩＰ済の出力データが存在するときは、図２に示すプレビュー表示用の３つのタブのうちの「原稿」と「出力」の２つのタブが表示される（ステップＳ１１１）。ＲＩＰ済の出力データが既に存在するときは、「出力」のプレビュー画像を表示すれば、これが印刷のイメージとして最も正確であり、「簡易」のプレビュー画像を表示する必要はないからである。一方、その選択されたジョブには、ＲＩＰ処理済の出力データが未だ存在していなかったときは、図２に示す画像表示用の３つのタブのうちの「原稿」と「簡易」の２つのタブが表示される１２１。ＲＩＰ処理が未だなので「出力」のプレビュー画像の表示はできないからである。なお、ＲＩＰ済の出力データが存在するか否かにかかわらず、「原稿」のタブは表示される。ＲＩＰの前後を問わず、原稿自体のサムネイル画像を確認する必要を生じる場合があるからである。
【００７６】
図２に示すプレビュー画面４２上に「原稿」と「出力」のタブが表示された状態において（ステップＳ１１１）、それら２つのタブのうちの一方のタブが押下されると（ステップＳ１１２）、その押下されたタブが「出力」か「原稿」かが判定される（ステップＳ１１３）。そして、その押下されたタブが「出力」のときは、「出力」のプレビュー画像が表示される（ステップＳ１１４）。一方、その押下されたタブが「原稿」のときは、「原稿」のプレビュー画像が表示される（ステップＳ１１５）。
【００７７】
一方、図２に示すプレビュー画面４２上に「原稿」と「簡易」のタブが表示された状態において（ステップＳ１２１）、それら２つのタブのうちの一方のタブが押下されると（ステップＳ１２２）、その押下されたタブが「簡易」か「原稿」かが判定される（ステップＳ１２３）。そして、その押下されたタブが「簡易」のときは、「簡易」のプレビューの画像配置が計算されて（ステップＳ１２４）、「簡易」のプレビュー画像が表示される（ステップＳ１２５）。一方、その押下されたタブが「原稿」のときは、「原稿」のプレビュー画像が表示される（ステップＳ１１５）。
【００７８】
図８，図９は、図７に示すプレビュー表示ルーチンのステップＳ１２４で実行される、「簡易」のプレビューの画像配置計算ルーチンのフローチャートの、それぞれ前半部分および後半部分を示した図である。
【００７９】
ここでは先ず、今回のプレビュー表示の対象のジョブについて、ジョブ情報を取得する（ステップＳ２０１）。ジョブ情報については、図４を参照して説明済であり、ここでの重複説明は割愛する。
【００８０】
次に、そのジョブ情報を参照して、物理ページ数を取得する（ステップＳ２０２）。ここで、「物理ページ数」は、プリント出力する用紙の枚数（ただし、両面プリントが指示されていたときは、おもて面とうら面を別々に数えたときの枚数、部数指定があっても１部のみの枚数）をいう。
【００８１】
次に、その物理ページ１ページずつについて順次に（ステップＳ２１５参照）、以下の処理を実行する。
【００８２】
先ず、その物理ページのサイズと向きの情報を取得し（ステップＳ２０３）、また、プリンタに設定されている用紙のサイズと向き（図４に示すトレイ設定情報）を取得する（ステップＳ２０４）。
【００８３】
次に、今、処理対象としているジョブに、給紙トレイの指定があるか否かを判定する（ステップＳ２０５）。そして、給紙トレイが指定されていたときは、その物理ページのプリント出力にあたっては、その指定された給紙トレイを使用することに決定する（ステップＳ２０６）。
【００８４】
一方、給紙トレイの指定がないときは、今回の物理ページのサイズと同サイズの用紙を使用することに決めて（ステップＳ２０７）、さらに、後処理の指定の有無を判定する（ステップＳ２０８）。後処理の指定があるときは、物理ページの向きと後処理方法とに応じて、その後処理が実行できるように給紙トレイを決定する（ステップＳ２０９）。一方、ステップＳ２０８において後処理指定なしと判定したときは、次に、ステップＳ２０７で決めたサイズの用紙について、ＬＥＦとＳＥＦの両方の向きの給紙トレイが存在するか否かを判定する（ステップＳ２１０）。ＬＥＦとＳＥＦの両方の向きの給紙トレイが存在する場合は、ＬＥＦの向きの給紙トレイに決定する（ステップＳ２１１）。同じサイズの用紙の場合、ＬＥＦの方がＳＥＦよりも用紙搬送方向の寸法が短く、したがって単位時間当たり多くの枚数のプリント出力が可能だからである。ステップＳ２０７で決めたサイズの用紙について、ＬＥＦとＳＥＦのうちの一方の向きの給紙トレイしかなかったときは、その一方の向きの給紙トレイに決定する（ステップＳ２１２）。
【００８５】
以上のようにして給紙トレイを決定した後、印刷に使用する用紙の向きに合わせて画像を回転し（ステップＳ２１３）、用紙のサイズが画像のサイズよりも小さいときは画像をクリップする（ステップＳ２１４）。
【００８６】
以上の、ステップＳ２０３以降の処理が、今、着目しているジョブに関する全ての物理ページついて順次に実行される（ステップＳ２１５）。そして、全ての物理ページについての処理が終了すると、次に、部数の設定の有無が判定される（図９、ステップＳ２１６）。そして、部数の設定があるときは、さらにソートの設定の有無が判定される（ステップＳ２１７）。ソートの設定がある場合は、表示するページ全体が部数分コピーされる（ステップＳ２１８）。一方、ソートの設定がない場合は、表示するページをページ単位で部数分ずつコピーされる（ステップＳ２１９）。
【００８７】
そしてさらに、逆順印刷の設定の有無が判定される（ステップＳ２２０）。逆順印刷の設定があるときは、表示するページが逆順に並べ替えられる（ステップＳ２２１）。
【００８８】
図７に示す（ステップＳ１２４）では、図８，図９に示した画像配置計算ルーチンが実行されて、その計算結果に従って、「簡易」の画像が表示される（ステップＳ１２５）。
【００８９】
なお、ここでは、以上のプレビュー表示処理等を図１に示すプリンタ２０内で実行することを念頭に置いて説明したが、プリンタには、指示に従って単純にプリント出力する機能のみを持たせ、プリンタとは別体のサーバ等を備えて、そのサーバ等に上記の処理を実行させてもよい。あるいは、以上の処理を、クライアントＰＣ１０内で実行させてもよい。すなわち、本発明の画像表示装置および本発明にいう情報処理装置は、プリンタ内に組み込まれていてもよく、プリンタとは別体の装置であってもよい。
【符号の説明】
【００９０】
１０    クライアントＰＣ
２０    プリンタ
２１    ＰＣ
２２    給紙トレイ
２３    排紙トレイ
３０    ＬＡＮ
４０    ジョブ一覧画面
４１    保留中ジョブ一覧画面
４２    プレビュー画面
４２１  プレビュー画像
４２２  スクロールバー
５０    ジョブメニュー画面
１００  印刷システム
【図１】
2018028741.tif 000003
【図２】
2018028741.tif 000004
【図３】
2018028741.tif 000005
【図４】
2018028741.tif 000006
【図５】
2018028741.tif 000007
【図６】
2018028741.tif 000008
【図７】
2018028741.tif 000009
【図８】
2018028741.tif 000010
【図９】
2018028741.tif 000011